(57)【要約】【課題】本発明は、物品の収納空間を有する収納什器の上方に、薄型のディスプレイを支持するディスプレイ支持什器に関し、簡単な構成で、前記ディスプレイを安定かつ強固に固定することがディスプレイ支持什器を提供することを課題とする。【解決手段】上記課題を解決すべく、本発明の請求項１に記載の発明は、物品の収納空間を有する収納什器の上方に、薄型ディスプレイを支持するディスプレイ支持什器であって、前記収納什器の左右両側面に、前後位置を変更可能に下部を係着した左右一対の支持杆に、前記ディスプレイの背面を取り付けうるように設けたことを特徴とするディスプレイ支持什器である。【選択図】図１
2011083548.tif 000002
【特許請求の範囲】
【請求項１】
物品の収納空間を有する収納什器の上方に、薄型ディスプレイを支持するディスプレイ支持什器であって、前記収納什器の左右両側面に、前後位置を変更可能に下部を係着した左右一対の支持杆に、前記ディスプレイの背面を取り付けうるように設けたことを特徴とするディスプレイ支持什器。
【請求項２】
前記両支持杆が、前記収納什器の左右両側面の上部にそれぞれ設けた前後方向のガイドレールに下部を係着することで、前後位置を変更可能としていることを特徴とする請求項１記載のディスプレイ支持什器。
【請求項３】
前記ガイドレールが、前後方向に凹設した凹部レールであり、該凹部レールに、支持杆の下部に設けた前後方向の水平杆を嵌合させて係着されていることを特徴とする請求項２記載のディスプレイ支持什器。
【請求項４】
前記ディスプレイが、前記両支持杆に、左右端部を着脱可能に係着させた連結杆に、左右位置を変更可能に設けた取付部材によって、背面を取り付けうるように設けられていることを特徴とする請求項１乃至３記載のディスプレイ支持什器。
【請求項５】
前記ディスプレイが、前記連結杆の上下位置を変更可能として前記両支持杆に係着させることで、高さを変更可能に、背面を取り付けうるように設けられていることを特徴とする請求項４記載のディスプレイ支持什器。
【発明の詳細な説明】
【技術分野】
【０００１】
本発明は、物品の収納空間を有する収納什器の上方に、薄型のディスプレイを支持するディスプレイ支持什器に関する。
【背景技術】
【０００２】
従来、学校の教室や会議室等において、テレビやプレゼンテーション用のモニタを、ラックやキャビネット等の収納什器上に載置した状態で用いることがある。
他方、近年、ディスプレイの薄型化および画面の大型化に伴い、ディスプレイをより高い位置に載置してより遠くの人も視認可能に用いる傾向にあるが、特に、大型の薄型ディスプレイを収納什器上に載置して用いる場合、前後方向の安定性が極度に低下するため、収納什器の振動や移動等により生じる僅かな揺れでも、ディスプレイが倒れてしまう恐れがある。このため、ディスプレイを収納什器に固定することで、揺れに対してディスプレイが倒れてしまうことを防ぐことが可能な種々ディスプレイ支持什器が開示されている（例えば、特許文献１、特許文献２）。
【０００３】
特許文献１には、ディスプレイ本体と、ディスプレイ本体の下端部からほぼ垂直に下方に延びている支持脚と、この支持脚の下端に取り付けた水平な支持板とを備えている自立型のディスプレイを載せるディスプレイ台であって、水平な天板と、この天板の上側に水平に配置された目隠し板と、これら天板および目隠し板の間に形成され、後側に開口している支持板差込部と、目隠し板の一部を後端面の側から前方に向けて所定の幅で所定の長さだけ切り欠くことによりに形成された支持脚挿入溝と、を有していることを特徴とするディスプレイ台が開示されている。
【０００４】
しかしながら、当該構成にあっては、ディスプレイの脚部をディスプレイ台へと固定する構成であり、大型のディスプレイでは、ディスプレイ上方の前後方向への揺れが大きくかつ揺れの周期が大きいため、ディスプレイの脚部を固定した場合、脚部にかかる負荷が大きく、脚部が破損してディスプレイが倒れてしまう恐れがある。
【０００５】
また、特許文献２には、大きさや種類が異なり、その取り付け位置がそれぞれ異なる複数の平面型ディスプレイを統一的に取り付けて支持する事ができる平面型ディスプレイ固定用スタンドであって、前記平面型ディスプレイの背部に左右に離間させて取り付けられる垂直支持部材と、前記垂直支持部材が掛け止めされるフレームと、前記フレームを支持する脚部と、前記垂直支持部材から突設され、前記フレームにスライド可能に係止される係止部材とを備える事を特徴とする平面型ディスプレイ固定用スタンドが開示されている。
【０００６】
しかしながら、ベースを使用せずディスプレイの画面を浮かせて取り付けることとしているため、機種ごとにことなるディスプレイ背面の固定用ネジ部の、ベースからの高さ位置への対応は複数の係止孔出の対応にとどまっており、微妙なズレに対応することができないといった欠点がある。また、奥行き方向での位置関係に対しても調整できないといった問題がある。
【０００７】
【特許文献１】特開２００８−５０２７号公報
【特許文献２】特開２００３−１８６４１２号公報
【発明の概要】
【発明が解決しようとする課題】
【０００８】
本発明は、物品の収納空間を有する収納什器の上方に、薄型のディスプレイを支持するディスプレイ支持什器に関し、簡単な構成で、前記ディスプレイを安定かつ強固に固定することがディスプレイ支持什器を提供することを課題とする。さらには、機種ごとに異なるフラットディスプレイ背面の固定用ネジ部の配置位置にも対応し、容易に且つ確実に取り付け可能なものとした上で、薄型ディスプレイの厚さ（奥行き寸法）の違いに対してもアジャスト可能なフレームとすることで、例えば、収納什器の移動時であっても、より安全に移動可能なように薄型ディスプレイを含めた什器全体の重心位置をセンターに配置可能なようにした、ディスプレイ支持什器を提供することを課題とする。
【課題を解決するための手段】
【０００９】
上記課題を解決すべく、本発明の請求項１に記載の発明は、物品の収納空間を有する収納什器の上方に、薄型ディスプレイを支持するディスプレイ支持什器であって、前記収納什器の左右両側面に、前後位置を変更可能に下部を係着した左右一対の支持杆に、前記ディスプレイの背面を取り付けうるように設けたことを特徴とするディスプレイ支持什器である。
【００１０】
また、請求項２に記載の発明は、請求項１に記載のディスプレイ支持什器において、前記両支持杆が、前記収納什器の左右両側面の上部にそれぞれ設けた前後方向のガイドレールに下部を係着することで、前後位置を変更可能としていることを特徴とする。
【００１１】
また、請求項３に記載の発明は、請求項２に記載のディスプレイ支持什器において、前記ガイドレールが、前後方向に凹設した凹部レールであり、該凹部レールに、支持杆の下部に設けた前後方向の水平杆を嵌合させて係着されていることを特徴とする。
【００１２】
また、請求項４に記載の発明は、請求項１乃至３に記載のディスプレイ支持什器において、前記ディスプレイが、前記両支持杆に、左右端部を着脱可能に係着させた連結杆に、左右位置を変更可能に設けた取付部材によって、背面を取り付けうるように設けられていることを特徴とする。
【００１３】
また、請求項５に記載の発明は、請求項４に記載のディスプレイ支持什器において、前記ディスプレイが、前記連結杆の上下位置を変更可能として前記両支持杆に係着させることで、高さを変更可能に、背面を取り付けうるように設けられていることを特徴とする。
【発明の効果】
【００１４】
本発明の請求項１に記載の発明によれば、支持杆を前記ラックへと前後移動調整し、最適な重心位置でディスプレイを安定かつ強固に固定することが可能であり、収納什器の移動時や振動等による揺れが生じても、ディスプレイが倒れることを防止することが可能である。さらには、薄型ディスプレイの厚さ（奥行き寸法）の違いに対してもアジャスト可能であり、例えば、収納什器の移動時であっても、より安全に移動可能なように薄型ディスプレイを含めた什器全体の重心位置をセンターに配置可能なようにした、ディスプレイ支持什器を提供することが可能である。
【００１５】
また、請求項２に記載の発明によれば、前記両支持杆が、前記収納什器の左右両側面の上部にそれぞれ設けた前後方向のガイドレールに下部を係着する簡単な構成で、前記支持杆を収納什器へと前後移動調整し、最適な重心位置でディスプレイを安定かつ強固に固定することが可能である。
【００１６】
また、請求項３に記載の発明によれば、前記ガイドレールが、前後方向に凹設した凹部レールであり、該凹部レールに、支持杆の下部に設けた前後方向の水平杆を嵌合させた状態で前後摺動自在に形成することで、前記支持杆を収納什器へと前後移動調整し、最適な重心位置でディスプレイを安定かつ強固に固定することが可能である。
【００１７】
また、請求項４に記載の発明によれば、ディスプレイの機種ごとに、背面の取付位置が異なる場合であっても、ディスプレイの背面に取付部材を形成し、該取付部材を連結杆へと左右位置を変更可能に係合する簡単な構成で、安定かつ強固にディスプレイを固定することが可能である。
【００１８】
また、請求項５に記載の発明によれば、ディスプレイの機種ごとに、背面の取付位置の高さが異なる場合であっても、前記連結杆の上下位置を変更可能として前記両支持杆に係着させることで、安定かつ強固にディスプレイを固定することが可能である。
【発明を実施するための形態】
【００１９】
本発明のディスプレイ支持什器１の一例としては、図１（ａ）（ｂ）に示すように、物品の収納空間（上棚ａ、中棚ｂ、下棚ｃ）を有する収納什器５０と、薄型ディスプレイ１０を収納什器５０の上方に固定するための、左右一対の支持杆２０および連結杆３０と、取付部材４０と、を有するディスプレイ支持什器１である。
【００２０】
一般に、薄型ディスプレイ１０の背面部分１２には、該ディスプレイ１０を吊り下げる際や、固定する際に用いられる固定用ネジ部１３が形成されているが、メーカーによって、ディスプレイ背面１２の固定用ネジ部１３の形成箇所が異なるという特徴がある。
【００２１】
本発明における、薄型ディスプレイ１０を固定する手段としては、図１（ｂ）に示すように、ディスプレイ背面１２に形成された固定用ネジ部１３へと、係合部４１を有する取付部材４０をビス止め等により固定し、該取付部材４０の係合部４１へと、連結杆３０を係合するとともに、該連結杆３０を支持杆２０へと係着し、該支持杆２０を収納什器５０に係着することで、収納什器５０の移動時や振動等による揺れが生じても、ディスプレイ１０が倒れることを防止することが可能である。
【００２２】
特に、後述する、収納什器５０に固定する支持杆２０が、前後方向にスライドして係着可能な構成であり、支持杆２０を前後調整し、最適な重心位置にディスプレイ１０を載置した状態で安定かつ強固に固定することが可能である。
また、後述する、ディスプレイの背面１２に固定する連結杆３０が、前記支持杆２０に係合した状態で、上下方向にスライド移動可能な構成であり、機種ごとに異なる背面の取付位置に対して連結杆３０を上下調整し支持杆２０に固定することで、安定かつ強固にディスプレイを固定することが可能である。
【００２３】
以下、本発明のディスプレイ支持什器１の構成について詳述する。
本発明のディスプレイ支持什器１は、図２に示すように、３段ラックの上棚ａ、中棚ｂ、下棚ｃを、左右の取付板５５を介して支柱５１に取り付ける構成である。そして、前記取付板５５は、該取付板５５の外面に係合爪５６を有する板状の部材であり、取付板５５の係合爪５６を前記支柱５１の内面に形成された取付溝５８へと掛止することで、複数の支柱間に前記棚ａ、ｂ、ｃを取り付けることが可能である。
【００２４】
特に、上棚ａを取り付ける左右両側面の取付板５５は、該取付板５５の中央部が前後方向に連続して窪んだ凹部レール５７を形成しており、後述する、支持杆２０の下部に設けた前後方向の水平杆２１を、収納什器５０の左右両側面に形成された取付板５５の凹部レール５７へと前後摺動自在に係合し、ビス止め等により固定する構成である。
【００２５】
収納什器５０の下方には、キャスター６０を取り付ける水平杆５２を左右にそれぞれ有しており、該水平杆５２の前後から立設する係合杆５３を、前記支柱５１の下端へと挿通することで、前記支柱５１を水平杆５２に立設させる構成である。また、前記水平杆５２の前端および後端をキャップ６１で覆うとともに、水平杆５２の下面に形成された、図示しない嵌合孔へとキャスター６０の基端を嵌合して取り付ける。そして、支柱５１の上下に目隠し板５９をそれぞれ取り付けて、図３に示すように、収納什器５０を形成する。
【００２６】
次に、この収納什器５０にディスプレイ１０を固定するための手段としての、支持杆２０および連結杆３０と、取付部材４０とについて説明する。
ディスプレイ１０を収納什器５０に固定する手段としては、収納什器５０の左右側面の上部（取付板５５）に係着する、支持杆２０の下部に設けた前後方向の水平杆２１と、左右の支持杆２０、２０を連結する左右方向の連結杆３０と、該連結杆３０の両端に垂設され前記支持杆２０へと係着する垂直杆３１と、ディスプレイ１０の背面１２に固定され、連結杆３０に係合する取付部材４０と、からなる。
【００２７】
前記支持杆２０の下部に設けた前後方向の水平杆２１は、断面コ字状に形成され、かつ前後方向にスリット２２が形成されている。そして、該水平杆２１を、前記収納什器５０の取付板５５に形成される凹部レール５７へと係合させた状態で、前後摺動させることが可能であり、さらには、前記水平杆２１に形成されたスリット２２を介して、収納什器５０の取付板５５に形成されたネジ溝Ｖへと、水平杆２１を前後方向に微調整しつつビス止め等により固定することが可能である。
【００２８】
また、前記連結杆３０の左右に設けた上下方向の垂直杆３１は、断面コ字状に形成され、かつ上下方向にスリット３２が形成されている。そして、前記コ字状の凹部が、前記支持杆２０へと係合しつつ上下昇降が可能であり、前記垂直杆３１に形成されたスリット３２を介して、支持杆２０に形成されたネジ溝Ｖへと、垂直杆３１を上下方向に微調整しつつビス止め等により固定することが可能である。
【００２９】
また、前記取付部材４０は、側面視略Ｌ字状の部材であり、前方にネジ溝Ｖを有し、後方に凹部からなる係合部４１を有する部材である。そして、該取付部材４０のネジ溝Ｖを介してディスプレイ背面１２の固定用ネジ部１３へとビス止め等により固定する。
特に、取付部材４０の後方に形成された係合部４１へと、前記連結杆３０を係合することで、連結杆３０をディスプレイ１０の背面１２へと係合し固定することが可能であり、背面１２の取付位置が異なる場合であっても、左右端部を着脱可能に係着させた連結杆３０に左右位置を変更可能に設けた取付部材４０によって、ディスプレイの背面に取付部材４０を形成し、最適な重心位置で、安定かつ強固にディスプレイ１０を固定することが可能である。
【００３０】
このように、収納什器５０の上方に、薄型ディスプレイ１０を固定する手段としては、収納什器５０の左右両側面において前後方向に摺動させ任意の位置に固定することが可能な水平杆２１を有する支持杆２０と、該支持杆２０に、上下方向に摺動させ任意の位置に固定することが可能な垂直杆３１を有する連結杆３０と、該連結杆３０の左右方向の任意の位置に係合することが可能な係合部４１を有する取付部材４０と、からなる。
【００３１】
次に、このようなディスプレイ固定手段２０、３０、４０により、ディスプレイ１０を収納什器上５０に固定する方法について説明する。
まず、図４に示すように、収納什器５０の最上段の棚ａに、薄型ディスプレイ１０を載置する。このとき、ディスプレイ１０の重量重心を、棚ａの中央に配置することが好ましく、ディスプレイ１０を安定して収納什器上に載置することが可能である。そして、ディスプレイ背面１２の固定用ネジ部１３へと、取付部材４０をビス止め等により固定する。
【００３２】
次に、図５に示すように、収納什器５０の左右両側面に設けられた取付板５５の凹部レール５７へと、支持杆２０の水平杆２１を前後摺動自在に係着する。そして、凹部レール５７へと水平杆２１を係合させた状態で、前記取付部４０の係合部４１と、支持杆２０とが側面視で略一致するように、水平杆２１をそれぞれ前後摺動させて微調整し、水平杆２１のスリット２２を介して取付板５５のネジ溝Ｖへとビス等で仮止めする。
【００３３】
次に、図６に示すように、連結杆３０の左右に設けられた垂直杆３１を、支持杆２０左右の支持杆２１に係合させた状態で下方へと摺動させるとともに、連結杆３１が前記取付部材４０の係合部４１に係合する位置まで下降させる。このとき、連結杆３０を下降させるとともに、支持杆２０を前後摺動させて微調整し、連結杆３０を取付部材４０の係合部４１へと係合する。
【００３４】
そして、図７に示すように、連結杆３０の垂直杆３１を、支持杆２０のネジ溝Ｖへと、スリット３２を介してビス止め等で固定することにより、薄型ディスプレイ１０の最適な位置において、ディスプレイ１０を収納什器５０へと固定することが可能である。
【００３５】
このように、本発明のディスプレイ支持什器１は、図８（ａ）（ｂ）に示すように、ディスプレイ１０の背面１２に取付部材４０を形成し、該取付部材４０の係合部４１へと、連結杆３０を係合するとともに、該連結杆３０を、収納什器５０に固定した支持杆２０へと係合し固定する簡単な構成により、ディスプレイ１０を収納什器５０へと固定することが可能である。特に、物品の収納空間を有する収納什器の上方に、当該収納什器より左右幅が広い薄型ディスプレイを支持する際に有効であり、大型の薄型ディスプレイを安定かつ強固に支持することが可能であり、さらには、什器の正面からディスプレイの固定手段が露出することなく、ディスプレイの美観を損ねることがない。
【００３６】
特に、薄型ディスプレイ１０に対して、支持杆２０および連結杆３０を前後摺動かつ上下昇降自在に形成することで、図９（ａ）（ｂ）（ｃ）に示すように、ディスプレイの最適な重心位置での固定が可能であり、安定かつ強固にディスプレイ１０を収納什器５０に固定することが可能である。  
【００３７】
また、ディスプレイの種類によって、背面１２の固定用ネジ部１３の位置が異なる場合であっても、ディスプレイの背面１２に取り付けた取付部材４０の係合部４１へと、連結杆を係合することで、ディスプレイ１０を収納什器５０へと固定することが可能である。
【００３８】
よって、本発明のディスプレイ支持什器１は、機種ごとに異なる薄型ディスプレイ１０の固定用ネジ部１３に対しても、簡単に収納什器５０へと固定することが可能であり、奥行きの異なる薄型ディスプレイ１０でもその載置時の重心位置を調節可能なように前後位置もアジャスト可能な、薄型ディスプレイの支持什器１を提供することが可能である。
【００３９】
さらには、薄型ディスプレイ１０の厚さ（奥行き寸法）の違いに対してもアジャスト可能であり、例えば、収納什器１０の移動時であっても、より安全に移動可能なように薄型ディスプレイを含めた什器全体の重心位置をセンターに配置可能なようにした、ディスプレイ支持什器１を提供することが可能である。
【００４０】
特に、本発明のディスプレイ支持什器は、当該什器より左右幅が広い薄型ディスプレイに好適であり、大型の薄型ディスプレイを安定かつ強固に支持することが可能であり、さらには、什器の正面からディスプレイの固定手段が露出することなく、ディスプレイの美観を損ねることがない。
【００４１】
上記例では、取付板５５に形成した凹部レール５７に係合しつつ前後方向に摺動自在な構成としたが、これに限らず、例えば、収納什器５０の上棚ａのコーナーに支持杆２０の前後位置を変更可能に係着して取り付ける構成であってもよく、本発明の趣旨を逸脱しない範囲において種々の変更が可能である。何れにせよ、本発明のディスプレイ支持什器１は、支持杆２０が前後方向にスライド可能とし、かつ連結杆３０が上下方向にスライド可能な構成であればよく、上記実施の形態に何ら限定されるものではない。
【００４２】
また、上記例では、収納什器５０として３段ラックの例を示したが、これに限らず、キャビネットやテレビ台、さらには、陳列棚であってもよく、上記構成を適用することが可能な収納什器であれば、収納什器は特に限定されるものではない。
【図面の簡単な説明】
【００４３】
【図１】本発明のディスプレイ支持什器を示す図である。（ａ）ディスプレイ支持什器の略正面を示す説明図である。（ｂ）ディスプレイ支持什器の略背面を示す説明図である。
【図２】本発明のディスプレイ支持什器の分解図である。
【図３】ディスプレイの固定手段を示す説明図である。
【図４】ディスプレイをラックに固定する方法を示す説明図である。
【図５】ディスプレイをラックに固定する方法を示す説明図である。
【図６】ディスプレイをラックに固定する方法を示す説明図である。
【図７】ディスプレイをラックに固定する方法を示す説明図である。
【図８】本発明のディスプレイ支持什器を示す図である。（ａ）ディスプレイ支持什器の略正面を示す説明図である。（ｂ）ディスプレイ支持什器の略背面を示す説明図である。
【図９】本発明のディスプレイ支持什器を示す（ａ）正面図（ｂ）側面図（ｃ）平面図である。
【符号の説明】
【００４４】
１    ディスプレイ支持什器
１０  ディスプレイ
１１  ディスプレイの前面
１２  ディスプレイの背面
２０  支持杆
２１  水平杆
２２  スリット
３０  連結杆
３１  垂直杆
３２  スリット
４０  取付部材
４１  係合部
５０  収納什器（ラック）
５５  取付板
５７  凹部レール
【図１】
2011083548.tif 000003
【図２】
2011083548.tif 000004
【図３】
2011083548.tif 000005
【図４】
2011083548.tif 000006
【図５】
2011083548.tif 000007
【図６】
2011083548.tif 000008
【図７】
2011083548.tif 000009
【図８】
2011083548.tif 000010
【図９】
2011083548.tif 000011